(57)【要約】【課題】電解水生成装置の長寿命化を図る。【解決手段】電解水生成装置１は、通水路の通水方向での隔膜２３の両端部を保持するとともに通水路２５，２６の路面を構成する保持部材２４ｅと、通水路２５，２６の通水方向での保持部材２４ｅにおける両端部に設けられて隔膜２３と電極板２１，２２との間の距離を規定する複数の規定部２４ｆと、を備える。通水路２５，２６の通水方向での保持部材２４ｅの下流側端部の隔膜２３に接続された部分であって通水路の路面を構成する部分２４ｍにおける隔膜２３の厚さ方向での厚さｔ１が、隔膜２３の厚さｔ２以下である。【選択図】図４
2010119990.tif 000002
【特許請求の範囲】
【請求項１】
隔膜と、この隔膜を間にして相互に対向配置された一対の電極板と、前記電極板と前記隔膜との間を通る一対の通水路と、を備え、前記一対の電極板間に電圧を印加して、前記通水路を流れる水から電解水を生成する電解水生成装置において、
前記通水路の通水方向での前記隔膜の両端部を保持するとともに前記通水路の路面を構成する保持部材と、
前記通水路の通水方向での前記保持部材における両端部に設けられ、前記隔膜と電極板との間の距離を規定する複数の規定部と、
を備え、
前記通水路の通水方向での前記保持部材の下流側端部の前記隔膜に接続された部分であって前記通水路の路面を構成する部分における前記隔膜の厚さ方向での厚さが、前記隔膜の厚さ以下であること特徴とする電解水生成装置。
【請求項２】
隔膜と、この隔膜を間にして相互に対向配置された一対の電極板と、前記電極板と前記隔膜との間を通る一対の通水路と、を備え、一対の前記電極板間に電圧を印加して、前記通水路を流れる水から電解水を生成する電解水生成装置において、
前記通水路の通水方向での前記隔膜の両端部を保持するとともに前記通水路の路面を構成する保持部材と、
前記通水路の通水方向での前記保持部材における両端部に設けられ、前記隔膜と電極板との間の距離を規定する複数の規定部と、
を備え、
前記通水路の通水方向での前記保持部材における下流側の端部には、相互に間隔をあけて配置された２つの前記規定部が設けられており、
前記保持部材の下流側の端部における２つの前記規定部間には、前記隔膜の一部が配置された凹部が形成されており、
前記凹部内に位置する前記隔膜が前記通水路の路面を構成していることを特徴とする電解水生成装置。
【請求項３】
前記保持部材は、前記隔膜に向かうにしたがい厚さが薄くなるように形成された傾斜部を有することを特徴とする請求項１又は２に記載の電解水生成装置。
【発明の詳細な説明】
【技術分野】
【０００１】
本発明は、電解水生成装置に関する。
【背景技術】
【０００２】
従来より、電解槽で水を電気分解して電解水を生成する電解水生成装置が知られている（例えば、特許文献１参照）
このような電解水生成装置の電解槽として、図１６および図１７に示すように、隔膜１２３と、この隔膜１２３を間にして相互に対向配置された一対の電極板である陰極板１２１および陽極板１２２と、これら陰極板１２１、陽極板１２２および隔膜１２３を収納保持したケーシング１２４とを有する電解槽１０５がある。この電解槽１０５には、一対の通水路として陰極通水路１２５および陽極通水路１２６が形成されている。陰極通水路１２５は、陰極板１２１と隔膜１２３との間に形成される一方、陽極通水路１２６は、陽極板１２２と隔膜１２３との間に形成されている。
【０００３】
ケーシング１２４には、その一端部に陰極通水路１２５の流入口である第一流入口１２４ａと陽極通水路１２６の流入口である第二流入口１２４ｂとが形成されている一方、その他端部に陰極通水路１２５の流出口である第一流出口１２４ｃと陽極通水路１２６の流出口である第二流出口１２４ｄとが形成されている。
【０００４】
このケーシング１２４は、隔膜１２３が固定された略矩形枠状の保持部材１２４ｅと、この保持部材１２４ｅに設けられた円筒突起状の複数の規定部１２４ｆと、陰極板２１および陽極板２２を押さえる一対の押さえ板１２４ｇとを有している。
【０００５】
保持部材１２４ｅは、一対の側壁部１２４ｈと、これら一対の側壁部１２４ｈ同士を連結した一対の連結部１２４ｉとを有している。連結部１２４ｉは、隔膜１２３よりも厚く形成されて、隔膜１２３の端部が固定されている。
【０００６】
この電解槽１０５では、陰極板１２１と陽極板１２２との間に電圧が印加されると、第一流入口１２４ａおよび第二流入口１２４ｂから陰極通水路１２５および陽極通水路１２６に流入した水が電気分解される。陰極通水路１２５においては陰極板１２１と水との界面でアルカリイオン水（陰極水）が生成され、陽極通水路１２６においては陽極板１２２と水との界面で酸性水（陽極水）が生成される。
【特許文献１】特開平１０−２９８７９１号公報
【発明の開示】
【発明が解決しようとする課題】
【０００７】
ところで、このような電解水生成装置にあっては、水に溶解している例えばＣａＣＯ３やＭｇ（ＯＨ）２等の成分が析出して電解槽１０５の陰極通水路１２５や陽極通水路１２６などに固着し、それらの通水路１２５，１２６が徐々に閉塞されてしまい、電解水生成装置の寿命が短命化するという問題がある。
【０００８】
そこで、本発明は、電解水生成装置の長寿命化を図ることを目的とする。
【課題を解決するための手段】
【０００９】
本発明の第１の態様は、隔膜と、この隔膜を間にして相互に対向配置された一対の電極板と、前記電極板と前記隔膜との間を通る一対の通水路と、を備え、前記一対の電極板間に電圧を印加して、前記通水路を流れる水から電解水を生成する電解水生成装置において、前記通水路の通水方向での前記隔膜の両端部を保持するとともに前記通水路の路面を構成する保持部材と、前記通水路の通水方向での前記保持部材における両端部に設けられ、前記隔膜と電極板との間の距離を規定する複数の規定部と、を備え、前記通水路の通水方向での前記保持部材の下流側端部の前記隔膜に接続された部分であって前記通水路の路面を構成する部分における前記隔膜の厚さ方向での厚さが、前記隔膜の厚さ以下であること特徴とする。
【００１０】
本発明の第２の態様は、隔膜と、この隔膜を間にして相互に対向配置された一対の電極板と、前記電極板と前記隔膜との間を通る一対の通水路と、を備え、一対の前記電極板間に電圧を印加して、前記通水路を流れる水から電解水を生成する電解水生成装置において、前記通水路の通水方向での前記隔膜の両端部を保持するとともに前記通水路の路面を構成する保持部材と、前記通水路の通水方向での前記保持部材における両端部に設けられ、前記隔膜と電極板との間の距離を規定する複数の規定部と、を備え、前記通水路の通水方向での前記保持部材における下流側の端部には、相互に間隔をあけて配置された２つの前記規定部が設けられており、前記保持部材の下流側の端部における２つの前記規定部間には、前記隔膜の一部が配置された凹部が形成されており、前記凹部内に位置する前記隔膜が前記通水路の路面を構成していることを特徴とする。
【００１１】
本発明の第３の態様は、前記第１又は第２の態様の電解水生成装置において、前記保持部材は、前記隔膜に向かうにしたがい厚さが薄くなるように形成された傾斜部を有することを特徴とする。
【発明の効果】
【００１２】
本発明の前記第１の態様によれば、通水路の通水方向での保持部材の下流側端部の隔膜に接続された部分であって通水路の路面を構成する部分における隔膜の厚さ方向での厚さが、隔膜の厚さ以下であることにより、前記部分の厚さが隔膜の厚さよりも厚い場合に比べて、通水路の断面積を広くとることができるので、その分、水からの析出成分の固着による通水路の閉塞を抑制することができ、ひいては電解水生成装置の長寿命化を図ることができる。
【００１３】
本発明の前記第２の態様によれば、保持部材の下流側の端部における２つの規定部間には、隔膜の一部が配置された凹部が形成されており、凹部内に位置する隔膜が通水路の路面を構成していることによって、保持部材に凹部が形成されていない場合に比べて、保持部材の下流側の端部における２つの規定部間での通水路の断面積を広くとることができるので、その分、水からの析出成分の固着による通水路の閉塞を抑制することができ、ひいては電解水生成装置の長寿命化を図ることができる。
【００１４】
本発明の前記第３の態様によれば、保持部材が傾斜部を有するので、保持部材の強度剛性の確保と、通水路の断面積の拡大化との両立を図ることができる。
【発明を実施するための最良の形態】
【００１５】
以下、本発明の実施形態について図面を参照しながら詳細に説明する。なお、以下の複数の実施形態には、同様の構成要素が含まれている。よって、それら同様の構成要素には共通の符号を付与するとともに、重複する説明を省略する。
【００１６】
（第１実施形態）図１〜図５は、本発明の第１実施形態を示し、図１は、電解水生成装置を概略的に示す構成図、図２は、電解槽を示す分解斜視図、図３は、電解槽を示す図であって、（ａ）は正面図、（ｂ）は（ａ）のＡ−Ａ線断面図、図４（ａ）は、図３（ａ）のＢ−Ｂ線断面図、図４（ｂ）は、図３（ｂ）のＣ−Ｃ線断面図、図５は、保持部材を示す図であって、（ａ）は正面図、（ｂ）は（ａ）のＤ−Ｄ線断面図である。
【００１７】
図１に示すように、電解水生成装置１は、水道管等の原水管２から供給される水を浄化する浄水部４と、浄化された水を電気分解して電解水としてアルカリイオン水（陰極水）と酸性水（陽極水）とを生成する電解槽５と、アルカリイオン水を装置外に吐出する吐水パイプ９と、酸性水を装置外に排出する排水口１２と、原水管２からの水の供給を検出する流量センサ６と、電解水生成装置１の各部を制御する制御部（図示せず）と、を備えている。ここで、水は、例えば水道水や井戸水、河川水などである。
【００１８】
原水管２は、電解水生成装置１に流路切替器３を介して接続されている。流路切替器３は、原水管２の水を電解水生成装置１に導入するか、電解水生成装置１を介さずにそのまま流出させるかを切り替え可能となっている。
【００１９】
浄水部４は、例えば粒状あるいは粉状の活性炭等の吸着剤４ａと、例えば中空糸膜等の濾過材４ｂとを有している。浄水部４には、原水管２から流路切替器３およびパイプ１０ａを介して水が供給される。浄水部４は、供給された水に含まれる不純物を吸着剤４ａに吸着した後、濾過材４ｂによって水に含まれる不純物を濾過して、水を浄化する。浄化後の水は、パイプ１０ｂから導出される。
【００２０】
電解槽５は、図２ないし図４に示すように、隔膜２３と、この隔膜２３を間にして相互に対向配置された一対の電極板である陰極板２１および陽極板２２と、これら陰極板２１、陽極板２２および隔膜２３を収納保持したケーシング２４とを有している。また、電解槽５には、一対の通水路として陰極通水路２５および陽極通水路２６が形成されている。陰極通水路２５は、陰極板２１と隔膜２３との間に形成される一方、陽極通水路２６は、陽極板２２と隔膜２３との間に形成されている。陰極板２１は、陰極通水路２５の路面を構成している一方、陽極板２２は、陽極通水路２６の路面を構成している。隔膜２３は、陰極通水路２５の路面と陽極通水路２６の路面とを構成している。
【００２１】
陰極板２１および陽極板２２には、例えば長方形状に形成された平板状の電極が用いられる。この電極は、例えばＴｉにＰｔやＩｒをメッキ又は焼成して形成される。
【００２２】
隔膜２３は、例えば長方形状に形成されている。この隔膜２３は、例えばポリエチレン、ポリテトラフロロエチレンなどの多孔膜にポリエチレンテレフタレートなどによって構成される不織布を複合化されたものが用いられる。
【００２３】
ケーシング２４は、陰極板２１、隔膜２３、陽極板２２をこの順で相互に間隔をあけた状態で保持している。ケーシング２４の外形は、概略長方形状に形成されており、ケーシング２４には、その長手方向の一端部に陰極通水路２５の流入口である第一流入口２４ａと陽極通水路２６の流入口である第二流入口２４ｂとが形成されている一方、その長手方向の他端部に陰極通水路２５の流出口である第一流出口２４ｃと陽極通水路２６の流出口である第二流出口２４ｄとが形成されている。
【００２４】
具体的には、ケーシング２４は、隔膜２３が固定された略矩形枠状の保持部材２４ｅと、この保持部材２４ｅに設けられた円筒突起状の複数の規定部２４ｆと、陰極板２１および陽極板２２を押さえる一対の押さえ板２４ｇとを有している。このケーシング２４の材料は、例えばＡＢＳである。
【００２５】
保持部材２４ｅは、細長く形成された一対の側壁部２４ｈと、これらの一対の側壁部２４ｈ同士を連結した一対の連結部２４ｉとを有している。保持部材２４ｅは、陰極通水路２５の路面および陽極通水路２６の路面を構成している。
【００２６】
連結部２４ｉは、側壁部２４ｈよりも薄く形成されている。連結部２４ｉは、保持部材２４ｅの外周部を構成する厚肉部２４ｊと、保持部材２４ｅの内周部を構成する薄肉部２４ｋとを有している。薄肉部２４ｋは、隔膜２３の厚さ方向での厚さが厚肉部２４ｊよりも薄く形成されている。これらの連結部２４ｉの相互に対向する面に隔膜２３の端部が例えば接着などによって固定されている。これによって、保持部材２４ｅは、陰極通水路２５および陽極通水路２６の通水方向での隔膜２３の両端部を保持している。
【００２７】
規定部２４ｆは、陰極通水路２５および陽極通水路２６の通水方向での保持部材２４ｅにおける両端部（上流側端部および下流側端部）に設けられて隔膜２３と電極板（陰極通水路２５および陽極通水路２６）との間の距離を規定するとともに、陰極通水路２５の路面および陽極通水路２６の路面を構成するものである。具体的には、規定部２４ｆは、薄肉部２４ｋにおける側壁部２４ｈに接続された各端部に設けられている。より詳細には、規定部２４ｆは、薄肉部２４ｋにおける陰極板２１と対向する面と、陽極板２２と対向する面とにそれぞれ形成されている。即ち、保持部材２４ｅの両面の４隅部に一つずつ規定部２４ｆが設けられている。この規定部２４ｆは、連結部２４ｉとは別部品として成形して連結部２４ｉに固着させてもよいし、連結部２４ｉに一体成形しても良い。図面では、規定部２４ｆが、連結部２４ｉとは別部品として成形されて連結部２４ｉに固着された例が示されている。
【００２８】
一対の押さえ板２４ｇは、側壁部２４ｈに固定されて保持部材２４ｅの開口を閉塞する。一方の押さえ板２４ｇと保持部材２４ｅの一方の面に設けられた４つの規定部２４ｆとの間に陰極板２１が配置されて、その一方の押さえ板２４ｇと４つの規定部２４ｆとが陰極板２１を挟持している。また、他方の押さえ板２４ｇと保持部材２４ｅの他方の面に設けられた４つの規定部２４ｆとの間に陽極板２２が配置されて、その他方の押さえ板２４ｇと４つの規定部２４ｆとが陽極板２２を保持している。なお、図３および図４では、押さえ板２４ｇは省略されている。
【００２９】
そして、一方の連結部２４ｉと陰極板２１の一端部と陰極板２１の一端部を支持する２つの規定部２４ｆとによって、陰極通水路２５の第一流入口２４ａが形成され、他方の連結部２４ｉと陰極板２１の他端と陰極板２１の他端部を支持する２つの規定部２４ｆとによって、陰極通水路２５の第一流出口２４ｃが形成されている。また、一方の連結部２４ｉと陽極板２２の一端部と陽極板２２の一端部を支持する２つの規定部２４ｆとによって陽極通水路２６の第二流入口２４ｂが形成され、他方の連結部２４ｉと陽極板２２の他端と陽極板２２の他端部を支持する２つの規定部２４ｆとによって、陽極通水路２６の第二流出口２４ｄが形成されている。
【００３０】
そして、本実施形態では、陰極通水路２５および陽極通水路２６の通水方向での保持部材２４ｅの上流側端部および下流側端部の隔膜２３に接続された部分であって規定部２４ｆの周辺に位置して陰極通水路２５および陽極通水路２６の路面を構成する部分（以後、通水路確保部ともいう）２４ｍにおける隔膜２３の厚さ方向での厚さｔ１が、隔膜２３の厚さｔ２以下となっている。詳細には、保持部材２４ｅの連結部２４ｉの厚さが隔膜２３の厚さｔ２以下となっており、この連結部２４ｉにおける規定部２４ｆ間の部分が通水路確保部２４ｍとなっている。別の言い方をすると、陰極板２１および陽極板２２との対向方向で、保持部材２４ｅにおいて陰極板２１および陽極板２２と重なる部分（陰極板２１と陽極板２２とが投影される部分）における隔膜２３の厚さ方向での厚さｔ１が、隔膜２３の厚さｔ２以下となっている。
【００３１】
また、この電解槽５は、図１に示すように、入口１１、第一出口１２、第二出口１３および第三出口１４とを有している。入口１１は、第一流入口２４ａおよび第二流入口２４ｂに連通しており、第一出口１２は、第一流出口２４ｃに連通しており、第二出口１３は、第二流出口２４ｄに連通しており、第三出口１４は、陰極通水路２５に連通している。また、入口１１は、パイプ１０ｂを介して浄水部４に接続されている。第一出口１２は、パイプ１０ｃを介して吐水パイプ９に連通されている。第二出口１３は、排水口１２に連通されている。第三出口１４は、排水弁１５に連通している。また、入口１１は、排水弁１６にも連通している。
【００３２】
この電解槽５では、陰極板２１と陽極板２２との間に電圧が印加されると、入口１１から第一流入口２４ａおよび第二流入口２４ｂを介して陰極通水路２５および陽極通水路２６に流入した水が電気分解される。陰極通水路２５においては陰極板２１と水との界面でアルカリイオン水が生成され、陽極通水路２６においては陽極板２２と水との界面で酸性水が生成される。陰極通水路２５で生成されたアルカリイオン水は、第一流出口２４ｃから第一出口１２を介して吐水パイプ９に至り、陽極通水路２６で生成された酸性水は、第二出口１３を介して排水口１２へ至る。
【００３３】
ここで、電解槽５においては、例えば、陽極板２２および陰極板２１の厚さは０．５ｍｍ、隔膜２３の厚さｔ２は０．１ｍｍ、陰極板２１と陽極板２２との相互の対向面間距離は３．５ｍｍとなっており、隔膜２３は、陰極板２１と陽極板２２との中間に位置している。かかる構造では、陰極板２１と隔膜２３との相互の対向面間の距離および陽極板２２と隔膜２３との相互の対向面間の距離は、それぞれ１．７ｍｍとなっている。そして、本実施形態では、保持部材２４ｅにおける規定部２４ｆ間の部分、即ち通水路確保部２４ｍでは、その厚さｔ１が隔膜２３の厚さｔ２以下となっているので、通水路確保部２４ｍと各電極（陽極板２２、陽極板２２）との相互の対向面間の距離は、１．７ｍｍ以下となっている。
【００３４】
このような構成の電解水生成装置１では、排水弁１５，１６が閉じられた状態において原水管２から水が供給されたことを流量センサ６が検出すると、制御部が電解槽５の陰極板２１と陽極板２２との間に電圧を印加する。これにより、浄水部４を通過して浄化された水を電解槽５で電気分解して、水からアルカリイオン水と酸性水とを生成する。生成されたアルカリイオン水は、吐水パイプ９から吐出されるとともに、酸性水は排水口１２から排出される。
【００３５】
また、電解水生成装置１は、原水管２が閉じられて水の供給が止まったことを流量センサ６によって検出すると、陰極板２１と陽極板２２との極性を反転し、これら電極間に一定時間電圧を印加して逆電洗浄を行なう。一定時間の逆電洗浄が完了すると、排水弁１５，１６を開いて電解槽５内の水を排水弁１５，１６から排水する。
【００３６】
ここで、図６は、ｐＨと水中の溶解物との関係を示すグラフ、図７は、ｐＨと水中の炭酸カルシウムの溶解度との関係を示すグラフである。図６に示すように、水道水や井戸水、河川水などには、炭酸ガス（Ｈ２ＣＯ３）、炭酸水素イオン（ＨＣＯ３−）、炭酸イオン（ＣＯ３２−）などの炭酸成分が溶解している。この炭酸成分は、式（１）に示すように、Ｈ＋を放出したり取り込んだりすることにより、ｐＨによってその形態が変化する。
Ｈ２ＣＯ３→Ｈ＋＋ＨＣＯ３−→２Ｈ＋＋ＣＯ３２−・・・（１）
【００３７】
水から電解生成されたアルカリイオン水（陰極水）の炭酸成分は、その形態としてＣＯ３２−を取る。ところで、水にはＣａ２＋やＭｇ２＋などのイオン成分が溶解しているが、Ｃａ２＋は、図７から分かるように、アルカリ性の高い水ほど溶解度が下がるため、水のアルカリ性が高くなるにつれＣａＣＯ３として水から析出する量が増大する。また、Ｍｇ２＋に関しては、ＭｇＣＯ３の水への溶解度がＣａＣＯ３と比較して低くないため、ＭｇＣＯ３としての析出量は比較的少ない。しかしながら、Ｍｇ（ＯＨ）２の水への溶解度が低いため、アルカリ性の条件下では、Ｍｇ（ＯＨ）２が水から析出することになる。
【００３８】
これらの析出成分は、電解槽５においては、陰極通水路２５の路面および陽極通水路２６の路面に固着してそれらの流路を徐々に閉塞する。したがって、それらの陰極通水路２５および陽極通水路２６は、その断面積が大きい方が良い。
【００３９】
これに対して、本実施形態では、上述したように、陰極通水路２５および陽極通水路２６の通水方向での保持部材２４ｅの上下流側の両端部の隔膜２３に接続された部分であって陰極通水路２５および陽極通水路２６の路面を構成する部分（通水路確保部）２４ｍにおける隔膜２３の厚さ方向での厚さｔ１が、隔膜２３の厚さｔ２以下である。したがって、通水路確保部２４ｍの厚さｔ１が隔膜２３の厚さｔ２よりも厚い場合に比べて、陰極通水路２５および陽極通水路２６の断面積を広くとることができるので、その分、水からの析出成分の固着による陰極通水路２５および陽極通水路２６の閉塞を抑制することができ、ひいては電解水生成装置１の長寿命化を図ることができる。
【００４０】
なお、本実施形態では、保持部材２４ｅの連結部２４ｉにおいて、厚さを隔膜２３の厚さｔ２以下にする部分を規定部２４ｆ材の間としたが、これに限ることなく、保持部材２４ｅにおける規定部２４ｆ材の間以外の部分の厚さも隔膜２３の厚さｔ２以下として良い。
【００４１】
（第２実施形態）図８ないし図１１は、本発明の第２実施形態を示し、図８は、電解槽５を示す分解斜視図、図９は、電解槽を示す図であって、（ａ）は正面図、（ｂ）は（ａ）のＥ−Ｅ線断面図、図１０（ａ）は、図９（ａ）のＦ−Ｆ線断面図、図１０（ｂ）は図９（ｂ）のＧ−Ｇ線断面図、図１１は、保持部材を示す図であって、（ａ）は正面図、（ｂ）は（ａ）のＨ−Ｈ線断面図である。
【００４２】
本実施形態は、基本的には第１実施形態と同じあるが、電解槽５のケーシング２４における保持部材２４ｅＡの形状が第１実施形態に対して異なる。
【００４３】
本実施形態では、第１実施形態と同じく、陰極通水路２５および陽極通水路２６の通水方向での保持部材２４ｅＡにおける上流側および下流側の端部には、相互に間隔をあけて配置された２つの規定部２４ｆが設けられている。そして、保持部材２４ｅＡの上流側おおよび下流側の端部である一対の連結部２４ｉＡにおける２つの規定部２４ｆ間には、凹部２４ｎが形成されており、凹部２４ｎに隔膜２３の一部が配置されている。具体的には、本実施形態では、連結部２４ｉＡに隔膜２３の端部が埋設されており、凹部２４ｎに位置する隔膜２３が連結部２４ｉＡから露出するようになっている。このような埋設は、例えば連結部２４ｉＡに隔膜２３をインサート成形したり、連結部２４ｉＡを２部品に分割してそれらの部品で隔膜２３の端部を挟むことによって実現できる。ここで、規定部２４ｆは第１実施形態と同様に、連結部２４ｉＡとは別部品として成形して連結部２４ｉＡに固着させてもよいし、連結部２４ｉＡに一体成形しても良い。図面では、規定部２４ｆが、連結部２４ｉＡとは別部品として成形されて連結部２４ｉＡに固着された例が示されている。
【００４４】
以上説明したように、本実施形態では、保持部材２４ｅＡの下流側の端部における２つの規定部２４ｆ間には、隔膜２３の一部が配置された凹部２４ｎが形成されており、凹部２４ｎ内に位置する隔膜２３が陰極通水路２５の路面および陽極通水路２６の路面を構成していることによって、保持部材２４ｅＡに凹部２４ｎが形成されていない場合に比べて、保持部材２４ｅＡの下流側の端部における２つの規定部２４ｆ間での陰極通水路２５および陽極通水路２６の断面積を広くとることができるので、その分、水からの析出成分の固着による通水路の閉塞を抑制することができ、ひいては電解水生成装置１の長寿命化を図ることができる。
【００４５】
（第３実施形態）図１２ないし図１５は、本発明の第３実施形態を示し、図１２は、電解槽を示す分解斜視図、図１３は、電解槽を示す図であって、（ａ）は正面図、（ｂ）は（ａ）のＩ−Ｉ線断面図、図１４（ａ）は、図１３（ａ）のＪ−Ｊ線断面図、図１４（ｂ）は図１３（ａ）のＫ−Ｋ線断面図、図１４（ｃ）は図１４（ｂ）のＬ部の拡大図である。
【００４６】
本実施形態は、基本的には第２実施形態と同じであるが、電解槽５のケーシング２４における保持部材２４ｅＢの形状が第２実施形態に対して異なる。
【００４７】
本実施形態の保持部材２４ｅＢの一対の連結部２４ｉＢには、隔膜２３に向かうにしたがい厚さが薄くなるように形成された傾斜部２４ｐが形成さており、この傾斜部２４ｐの先端部（最薄部）に隔膜２３が接続されている。
【００４８】
以上説明したように、本実施形態では、保持部材２４ｅが傾斜部２４ｐを有するので、保持部材２４ｅの強度剛性の確保と、通水路の断面積の拡大化との両立を図ることができる。
【００４９】
なお、本発明は、上記各実施形態に限ることなく本発明の要旨を逸脱しない範囲で他の実施形態を各種採用することができる。例えば、第１実施形態の保持部材２４ｅに第３実施形態の傾斜部２４ｐを適用しても良い。また、規定部２４ｆは、円筒状に限ることなく、断面多角形などの他の形状であっても良い。
【図面の簡単な説明】
【００５０】
【図１】本発明の第１実施形態にかかる電解水生成装置を概略的に示す構成図である。
【図２】本発明の第１実施形態にかかる電解槽を示す分解斜視図である。
【図３】本発明の第１実施形態にかかる電解槽を示す図であって、（ａ）は正面図、（ｂ）は（ａ）のＡ−Ａ線断面図である。
【図４】（ａ）は図３（ａ）のＢ−Ｂ線断面図、（ｂ）は図３（ｂ）のＣ−Ｃ線断面図である。
【図５】本発明の第１実施形態にかかる保持部材を示す図であって、（ａ）は正面図、（ｂ）は（ａ）のＤ−Ｄ線断面図である。
【図６】ｐＨと水中の溶解物との関係を示すグラフである。
【図７】ｐＨと水中の炭酸カルシウムの溶解度との関係を示すグラフである。
【図８】本発明の第２実施形態にかかる電解槽を示す分解斜視図である。
【図９】本発明の第２実施形態にかかる電解槽を示す図であって、（ａ）は正面図、（ｂ）は（ａ）のＥ−Ｅ線断面図である。
【図１０】（ａ）は図９（ａ）のＦ−Ｆ線断面図、（ｂ）は図９（ｂ）のＧ−Ｇ線断面図である。
【図１１】本発明の第２実施形態にかかる保持部材を示す図であって、（ａ）は正面図、（ｂ）は（ａ）のＨ−Ｈ線断面図である。
【図１２】本発明の第３実施形態にかかる電解槽を示す分解斜視図である。
【図１３】本発明の第３実施形態にかかる電解槽を示す図であって、（ａ）は正面図、（ｂ）は（ａ）のＩ−Ｉ線断面図である。
【図１４】（ａ）は図１３（ａ）のＪ−Ｊ線断面図、（ｂ）は図１３（ａ）のＫ−Ｋ線断面図、（ｃ）は（ｂ）のＬ部の拡大図である。
【図１５】本発明の第３実施形態にかかる保持部材を示す図であって、（ａ）は正面図、（ｂ）は（ａ）のＭ−Ｍ線断面図である。
【図１６】従来の電解槽を示す分解斜視図である。
【図１７】従来の電解槽の断面図であって、（ａ）は図１６のＮ−Ｎ線に相当する部分の断面図、（ｂ）は図１６のＰ−Ｐ線に相当する部分の断面図である。
【符号の説明】
【００５１】
１  電解水生成装置
２１  陰極板（電極板）
２２  陽極板（電極板）
２３  隔膜
２４ｅ，２４ｅＡ，２４ｅＢ  保持部材
２４ｆ  規定部
２４ｍ  通水路確保部（部分）
２４ｎ  凹部
２４ｐ  傾斜部
２５  陰極通水路（通水路）
２６  陽極通水路（通水路）
ｔ１  通水路確保部の厚さ
ｔ２  隔膜の厚さ
【図１】
2010119990.tif 000003
【図２】
2010119990.tif 000004
【図３】
2010119990.tif 000005
【図４】
2010119990.tif 000006
【図５】
2010119990.tif 000007
【図６】
2010119990.tif 000008
【図７】
2010119990.tif 000009
【図８】
2010119990.tif 000010
【図９】
2010119990.tif 000011
【図１０】
2010119990.tif 000012
【図１１】
2010119990.tif 000013
【図１２】
2010119990.tif 000014
【図１３】
2010119990.tif 000015
【図１４】
2010119990.tif 000016
【図１５】
2010119990.tif 000017
【図１６】
2010119990.tif 000018
【図１７】
2010119990.tif 000019